(57)【要約】【課題】システム切替工事中において、既設と新設の両監視制御装置によりプラントの各負荷からの状態信号を個別に監視でき、かつ個々の負荷を間断なく継続して制御可能なプラント監視制御移行システムを提供する。【解決手段】既設監視制御装置１３は既設フィールドネットワーク８を介して、新設監視制御装置１５は新設フィールドネットワーク１０を介して共に各負荷１ａ〜１ｎが接続されたＩＯ装置４に接続され、ＩＯ装置４は各負荷１ａ〜１ｎからの状態信号を両監視制御装置１３、１５に出力する状態信号出力処理部と、両監視制御装置１３、１５からの制御信号のいずれを採用するかを決める制御権選択パラメータが負荷１ａ〜１ｎごとに予め登録されたパラメータ登録部と、制御権選択パラメータに基づき制御信号を各負荷１ａ〜１ｎに出力する制御信号出力処理部とを備える。【選択図】図１
2017167709.tif 000002
【特許請求の範囲】
【請求項１】
プラントを構成する各種の設備機器である負荷を監視制御する既設監視制御装置に加えて新設監視制御装置が併設され、上記既設監視制御装置に対して既設フィールドネットワークが、上記新設監視制御装置に対して新設フィールドネットワークがそれぞれ個別に配置され、上記既設フィールドネットワークと上記新設フィールドネットワークとが共にＩＯ装置に接続され、かつ、上記ＩＯ装置には各々の上記負荷が接続されており、
上記ＩＯ装置は、各々の上記負荷から出力される状態信号を、上記既設フィールドネットワークを介して上記既設監視制御装置に出力するとともに、上記新設フィールドネットワークを介して上記新設監視制御装置に出力する状態信号出力処理部と、上記既設監視制御装置から出力される負荷制御用の制御信号を採用するか、上記新設監視制御装置から出力される負荷制御用の制御信号を採用するかの制御権を選択するための制御権選択パラメータが上記負荷ごとに予め登録されたパラメータ登録部と、
上記パラメータ登録部に登録されている制御権選択パラメータに基づいて上記制御信号を各々の上記負荷に出力する制御信号出力処理部とを備え、
上記既設監視制御装置と上記新設監視制御装置によって、上記ＩＯ装置に接続された各々の上記負荷を個別に監視制御することを特徴とするプラント監視制御移行システム。
【請求項２】
上記パラメータ登録部に予め登録される制御権選択パラメータは、オンラインで設定登録可能に構成されていることを特徴とする請求項１に記載のプラント監視制御移行システム。
【請求項３】
上記ＩＯ装置は、上記既設監視制御装置から上記既設フィールドネットワークに至る既設側の通信システムの異常、および上記新設監視制御装置から上記新設フィールドネットワークに至る新設側の通信システムの異常をそれぞれ検出するＲＡＳ機能部を備え、上記制御信号出力処理部は、上記ＲＡＳ機能部が上記制御権を有する通信システムの異常を検出した場合には、これに応じて上記パラメータ登録部に予め登録されている上記制御権選択パラメータを、健全な通信システムを採用する制御権選択パラメータに強制的に書き換えるとともに、書き換えられた制御権選択パラメータに基づいて制御信号を出力する、ことを特徴とする請求項１または請求項２に記載のプラント監視制御移行システム。
【発明の詳細な説明】
【技術分野】
【０００１】
この発明は、プラントに設置される各種の設備機器を監視制御する既設の監視制御システムと新設の監視制御システムとを切り替える際に利用するプラント監視制御移行システムに関するものである。
【背景技術】
【０００２】
プラントに設置される各種の制御機器を監視、制御する監視制御システムにおいては、監視制御装置によりプラントの各種の制御機器を統括して監視制御する。このような監視制御システムでは、既設の監視制御装置が接続された制御バスの保守点検や、既設の監視制御装置の老朽化に伴う装置の取り替えなどが必要となる場合があるが、その際、プラントを構成する各種の制御機器に対する監視制御を長期に渡って停止するのは好ましくない。
【０００３】
そのため、従来技術では、既設の監視制御装置（以下、既設監視制御装置と呼ぶ）に対して新設の監視制御装置（以下、新設監視制御装置と呼ぶ）を併設し、既設監視制御装置を稼働させたまま、新設監視制御装置に段階的に移行させるプラント監視制御システム移行装置が提案されている（例えば、下記の特許文献１参照）。
【先行技術文献】
【特許文献】
【０００４】
【特許文献１】特開２０１０−２０５１６３号公報
【発明の概要】
【発明が解決しようとする課題】
【０００５】
しかし、特許文献１記載のものは、複数の設備から送信された状態信号は、状態信号受送信部において既設監視制御装置と新設監視制御装置用とに完全に切り分けて送信されるため、移行前システムの既設監視制御装置では新設監視制御装置用の状態信号を監視することがでず、また、移行後システムの新設監視制御装置では既設監視制御装置用の状態信号を監視することができず、片手落ちとなっている。
【０００６】
さらに、特許文献１記載のものでは、既設監視制御装置や新設監視制御装置から出力される制御信号は、プラントを構成する個々の制御機器（以下、負荷と呼ぶ）単位で選択出力されるのではなく、複数の制御機器が配備された設備単位で選択出力される構成となっている。したがって、設備内の個々の負荷に対して個別に制御信号を選択して出力することができない。このため、例えば既設監視制御装置あるいは新設監視制御装置から設備に至る途中の通信ネットワークの回線異常等が発生した場合には、設備内の負荷を健全な通信ネットワークを保持している側の監視制御装置から個別に継続制御することができないとう不具合がある。
【０００７】
この発明は、上記のような課題を解決するためになされたもので、プラントの監視制御システムを既設のものから新設のものに移行する切り替え工事中においても、プラントを構成する個々の負荷から出力される状態信号を既設監視制御装置と新設監視制御装置の双方で個別に監視できるとともに、既設監視制御装置と新設監視制御装置のいずれか一方から個々の負荷を間断なく継続して制御することができるプラント監視制御移行システムを提供することを目的とする。
【課題を解決するための手段】
【０００８】
この発明のプラント監視制御移行システムは、プラントを構成する各種の設備機器である負荷を監視制御する既設監視制御装置に加えて新設監視制御装置が併設され、上記既設監視制御装置に対して既設フィールドネットワークが、上記新設監視制御装置に対して新設フィールドネットワークがそれぞれ個別に配置され、上記既設フィールドネットワークと上記新設フィールドネットワークとが共にＩＯ装置に接続され、かつ、上記ＩＯ装置には各々の上記負荷が接続されており、上記ＩＯ装置は、各々の上記負荷から出力される状態信号を、上記既設フィールドネットワークを介して上記既設監視制御装置に出力するとともに、上記新設フィールドネットワークを介して上記新設監視制御装置に出力する状態信号出力処理部と、上記既設監視制御装置から出力される負荷制御用の制御信号を採用するか、上記新設監視制御装置から出力される負荷制御用の制御信号を採用するかの制御権を選択するための制御権選択パラメータが上記負荷ごとに予め登録されたパラメータ登録部と、上記パラメータ登録部に登録されている制御権選択パラメータに基づいて上記制御信号を各々の上記負荷に出力する制御信号出力処理部とを備え、上記既設監視制御装置と上記新設監視制御装置によって、上記ＩＯ装置に接続された各々の上記負荷を個別に監視制御することを特徴としている。
【発明の効果】
【０００９】
この発明によれば、プラントの監視制御システムを既設のものから新設のものに移行する切り替え工事中において、既設監視制御装置と新設監視制御装置の双方でプラントを構成する個々の負荷から出力される状態信号を個別に監視できるとともに、既設監視制御装置と新設監視制御装置のいずれか一方から個々の負荷を間断なく継続して制御することができる。このため、既設の監視制御システムから新設の監視制御システムに移行する際のシステム全体の信頼性を高めることが可能となる。
【図面の簡単な説明】
【００１０】
【図１】この発明の実施の形態１におけるプラント監視制御移行システムの全体を示すブロック図である。
【図２】この発明の実施の形態１におけるプラント監視制御移行システムにおいて、負荷の状態信号を同時監視する場合の機能を示すブロック図である。
【図３】この発明の実施の形態１におけるプラント監視制御移行システムにおいて、個々の負荷を制御する場合の機能を示すブロック図である。
【図４】この発明の実施の形態１におけるプラント監視制御移行システムにおいて、パラメータ登録部に対して制御権選択パラメータを設定登録する仕方の説明図である。
【図５】この発明の実施の形態１におけるプラント監視制御移行システムにおいて、強制的に制御権を健全な通信システム側に切替える手順を示したフローチャートである。
【図６】図５に示す手順に引き続いて強制的に制御権を健全な通信システム側に切替える手順を示したフローチャートである。
【発明を実施するための形態】
【００１１】
実施の形態１．
図１はこの発明の実施の形態１におけるプラント監視制御移行システムの全体を示すブロック図、図２は上記プラント監視制御移行システムにおいて負荷の状態信号を同時監視する場合の機能を示すブロック図、図３は上記プラント監視制御移行システムにおいて個々の負荷を制御する場合の機能を示すブロック図である。
【００１２】
この実施の形態１のプラント監視制御移行システムは、プラントを構成するセンサやアクチュエータといった各種の設備機器である負荷１〜ｎを監視制御する既設監視制御装置１３に加えて新設監視制御装置１５が併設されている。また、各々の負荷１ａ〜１ｎは既設のＩＯ（Ｉｎｐｕｔ  Ｏｕｔｐｕｔの略；以下、ＩＯと記す）装置４に実装されたＩＯカード２ａ〜２ｎに接続されている。
【００１３】
ＩＯ装置４は、ＣＰＵ（Ｃｅｎｔｒａｌ  Ｐｒｏｃｅｓｓｉｎｇ  Ｕｎｉｔの略；以下、ＣＰＵと記す）５、既設フィールドネットワーク用通信カード６、および新設フィールドネットワーク用通信カード７を備える。
【００１４】
そして、既設フィールドネットワーク用通信カード６は、既設フィールドネットワーク８を介して既設プログラマブルコントローラ９に接続され、さらに既設プログラマブルコントローラ９は、既設制御バス１２を介して既設監視制御装置１３に接続されている。
【００１５】
一方、新設フィールドネットワーク用通信カード７は、新設フィールドネットワーク１０を介して新設プログラマブルコントローラ１１に接続され、さらに新設プログラマブルコントローラ１１は、新設制御バス１４を介して新設監視制御装置１５に接続されている。
【００１６】
上記の既設プログラマブルコントローラ９は、各々の負荷１ａ〜１ｎから出力される状態信号を受信する受信データメモリ１９（図２参照）を備えるとともに、既設監視制御装置１３から出力される各負荷１ａ〜１ｎの制御用の制御信号を送信する送信データメモリ２３（図３参照）を備えている。
【００１７】
同様に、上記の新設プログラマブルコントローラ１１は、各々の負荷１ａ〜１ｎから出力される状態信号を受信する受信データメモリ２０（図２参照）を備えるとともに、新設監視制御装置１５から出力される各負荷１ａ〜１ｎの制御用の制御信号を送信する送信データメモリ２５（図３参照）を備えている。
【００１８】
また、上記のＩＯ装置４が備える既設フィールドネットワーク用通信カード６は、各々の負荷１ａ〜１ｎから出力される負荷状態を示す状態信号や、既設監視制御装置１３から出力される負荷制御用の制御信号を一時的に記憶するメモリ（図示せず）を備えるとともに、既設フィールドネットワーク８の回線状態や既設プログラマブルコントローラ９の動作状態を示す状態信号を一時的に登録するレジスタ（図示せず）を備えている。
【００１９】
同様に、上記のＩＯ装置４が備える新設フィールドネットワーク用通信カード７は、各々の負荷１ａ〜１ｎから出力される負荷状態を示す状態信号や、新設監視制御装置１５から出力される負荷制御用の制御信号を一時的に記憶するメモリ（図示せず）を備えるとともに、新設フィールドネットワーク１０の回線状態や新設プログラマブルコントローラ１１の動作状態を示す状態信号を一時的に登録するレジスタ（図示せず）を備えている。
【００２０】
ＩＯ装置４内のＣＰＵ５は、図２に示すように、負荷１ａ〜１ｎの状態信号をＩＯカードを介して受信する負荷データ受信処理部１６を有し、さらに、この負荷データ受信処理部１６で受信した状態信号を、既設フィールドネットワーク用通信カード６と新設フィールドネットワーク用通信カード７に対してそれぞれリブレッシュするための既設側の入力データリフレッシュメモリ１７と新設側の入力データリフレッシュメモリ１８を備えている。
【００２１】
そして、上記の負荷データ受信処理部１６、既設側の入力データリフレッシュメモリ１７、および新設側の入力データリフレッシュメモリ１８が、特許請求の範囲における状態信号出力処理部に対応している。
【００２２】
また、ＩＯ装置４内のＣＰＵ５には、既設プログラマブルコントローラ９の故障や既設フィールドネットワーク８の回線異常といった既設監視制御装置１３から既設フィールドネットワーク８に至る既設側の通信システムの異常、および、新設プログラマブルコントローラ１１の故障や新設フィールドネットワーク１０の回線異常といった新設監視制御装置１５から新設フィールドネットワーク１０に至る新設側の通信システムの異常をそれぞれ監視するＲＡＳ（Ｒｅｌｉａｂｉｌｉｔｙ  Ａｖａｉｌａｂｉｌｉｔｙ  Ｓｅｒｖｉｃｅａｂｉｌｉｔｙの略；以下、ＲＡＳと記す）機能部２８が設けられている。
【００２３】
また、ＣＰＵ５には、図３に示すように、既設監視制御装置１３から出力された負荷制御用の制御信号が既設フィールドネットワーク用通信カード６に受信された場合に、この制御信号を一旦記憶する既設側の出力データリフレッシュメモリ２４と、新設監視制御装置１５から出力された負荷制御用の制御信号が新設フィールドネットワーク用通信カード７に受信された場合に、この制御信号を一旦記憶する新設側の出力データリフレッシュメモリ２６とを備える。
【００２４】
さらに、ＣＰＵ５には、図３に示すように、負荷１ａ〜１ｎに対する制御信号の出力要求に対して、既設監視制御装置１３からの制御信号の出力要求を採用するか、新設監視制御装置１５からの制御信号の出力要求を採用するかの制御権を選択するためのパラメータ（以下、制御権選択パラメータと呼ぶ）が負荷１ａ〜１ｎごとに予め設定登録されたパラメータ設定ファイル２１が設けられている。そして、このパラメータ設定ファイル２１が、特許請求の範囲におけるパラメータ登録部に対応している。
【００２５】
ここで、上記のパラメータ設定ファイル２１に制御権選択パラメータを設定登録する仕方について、図４を用いて説明する。
【００２６】
パラメータ設定ファイル２１は、各々の負荷１ａ〜１ｎに対して個別に制御権選択パラメータを設定して登録できる構造になっており、作業者は個々の負荷１ａ〜１ｎに対して、制御権を既設監視制御装置１３に持たせるのか新設監視制御装置１５に持たせるかの設定を、例えばパソコン２９をＣＰＵ５に接続してオンラインで行う。具体的には、例えば、既設監視制御装置１３からの制御信号の出力要求の方を優先させて制御権とする場合には制御権選択パラメータとして「０」を、新設監視制御装置１５からの制御信号の出力要求の方を優先させて制御権とする場合には制御権選択パラメータとして「１」をそれぞれ設定する。
【００２７】
なお、この制御権選択パラメータの設定は、パソコン２９を用いてオンラインでの設定登録を可能としている。これにより、パラメータ変更時のＩＯ装置４のシステム再起動が不要となり、プラント運用に支障をきたさない利点がある。
【００２８】
また、ＩＯ装置４内のＣＰＵ５は、負荷１ａ〜１ｎに対して個別に制御信号を出力する制御出力処理部２２が設けられている。この制御出力処理部２２は、同一の負荷に対して、既設監視制御装置１３から出力されて既設側の出力データリフレッシュメモリ２４に一旦記憶された制御信号と、新設監視制御装置１５から出力されて新設側の出力データリフレッシュメモリ２６に一旦記憶された制御信号とに対し、どちらの制御信号の出力要求を採用するかを、上述のパラメータ設定ファイル２１に登録されている制御権選択パラメータに応じて、負荷単位で制御出力を切替える。さらに、制御出力処理部２２は、ＲＡＳ機能部２８の支援機能を使用して、ＲＡＳ機能部２８が上記制御権を有する側の通信システムの異常を検出した場合には、これに応じて上記パラメータ設定ファイル２１に予め登録されている上記制御権選択パラメータを、健全な通信システム側を採用する制御権選択パラメータに強制的に書き換えるとともに、書き換えられた制御権選択パラメータに基づいて制御信号を該当する負荷に出力する機能を備えている。
【００２９】
そして、上記の既設側と新設側の各出力データリフレッシュメモリ２４、２６、および制御出力処理部２２が、特許請求の範囲における制御信号出力処理部に対応している。
【００３０】
次に、各々の負荷１ａ〜１ｎから出力される状態信号を、既設監視制御装置１３と新設監視制御装置１５とで同時監視する動作について、図２を参照して説明する。
【００３１】
ＩＯ装置４内のＣＰＵ５の負荷データ受信処理部１６において、各々の負荷１ａ〜１ｎから出力される状態信号を読み込み、その状態信号を既設側の入力データリフレッシュメモリ１７と新設側の入力データリフレッシュメモリ１８にそれぞれ展開する。
【００３２】
既設側の入力データリフレッシュメモリ１７に展開された負荷１ａ〜１ｎの状態信号は、既設フィールドネットワーク用通信カード６にリフレッシュされ、さらに既設フィールドネットワーク８を介して既設プログラマブルコントローラ９が備える受信データメモリ１９にリフレッシュされる。そして、既設プログラマブルコントローラ９は、受信データメモリ１９にリフレッシュされた各負荷１ａ〜１ｎの状態信号を既設制御バス１２を経由して既設監視制御装置１３に送信する。
【００３３】
同様に、新設側の入力データリフレッシュメモリ１８に展開された負荷１ａ〜１ｎの状態信号は、新設フィールドネットワーク用通信カード７にリフレッシュされて、さらに新設フィールドネットワーク１０を介して新設プログラマブルコントローラ１１が備える受信データメモリ２０にリフレッシュされる。そして、新設プログラマブルコントローラ１１は、受信データメモリ２０にリフレッシュされた各負荷１ａ〜１ｎの状態信号を新設制御バス１４を経由して新設監視制御装置１５に送信する。
これにより、各負荷１ａ〜１ｎからの状態信号を、既設監視制御装置１３と新設監視制御装置１５とで同時監視することが可能となる。
【００３４】
次に、既設監視制御装置１３と新設監視制御装置１５からそれぞれ負荷１ａ〜１ｎに対して制御信号が出力された場合に、各負荷１ａ〜１ｎを個別に制御する場合の処理について、図３を参照して説明する。
【００３５】
既設監視制御装置１３から出力された制御信号は、既設制御バス１２から既設プログラマブルコントローラ９内に設けられた送信データメモリ２３に一旦格納される。そして、この送信データメモリ２３に格納された制御信号は、既設フィールドネットワーク８を経由してＩＯ装置４の既設フィールドネットワーク用通信カード６に受信される。さらに、既設フィールドネットワーク用通信カード６からＣＰＵ５が備える既設側の出力データリフレッシュメモリ２４にリフレッシュされる。
【００３６】
同様に、新設監視制御装置１５から出力された制御信号は、新設制御バス１４から新設プログラマブルコントローラ１１内に設けられた送信データメモリ２５に一旦格納される。そして、この送信データメモリ２５に格納された制御信号は、新設フィールドネットワーク１０を経由してＩＯ装置４の新設フィールドネットワーク用通信カード７に受信される。さらに、新設フィールドネットワーク用通信カード７からＣＰＵ５が備える新設側の出力データリフレッシュメモリ２６にリフレッシュされる。
【００３７】
ＣＰＵ５内の制御出力処理部２２は、既設側の出力データリフレッシュメモリ２４と新設側の出力データリフレッシュメモリ２６に登録されている制御信号について、どちらの制御信号を採用するかをパラメータ設定ファイル２１に登録されている制御権選択パラメータの内容を参照して負荷単位でチェックする。
【００３８】
すなわち、この実施の形態１では、制御権選択パラメータが既設監視制御装置１３を選択することを示す「０」である場合には、既設側の出力データリフレッシュメモリ２４から該当する負荷の制御信号を読み込み、該当する負荷に対して出力する。
【００３９】
一方、制御権選択パラメータが新設監視制御装置１５を選択することを示す「１」である場合には、新設側の出力データリフレッシュメモリ２６から該当する負荷の制御信号を読み込み、該当する負荷に対して出力する。
【００４０】
これにより、既設監視制御装置１３と新設監視制御装置１５からそれぞれ負荷１ａ〜１ｎに対して制御信号が出力された場合に、各負荷１ａ〜１ｎに対して制御権を切替えて制御信号を送信することで、各負荷１ａ〜１ｎを個別に制御することが可能となる。
【００４１】
次に、既設監視制御装置１３から既設フィールドネットワーク８に至る既設側の通信システムと、新設監視制御装置１５から新設フィールドネットワーク１０に至る新設側の通信システムのいずれか一方に異常が発生した場合に、その異常が発生した側の通信システムを選択するように制御権選択のパラメータ（「０」、「１」）が予め設定されているときには、強制的に制御権を健全な通信システム側に切替える手順について、図５および図６に示すフローチャートを参照して説明する。
【００４２】
図５に示すように、ステップＳ１では、ＲＡＳ機能部２８が、既設フィールドネットワーク用通信カード６のレジスタに登録された情報に基づいて既設プログラマブルコントローラ９の状態や既設フィールドネットワーク８の回線状態の情報を取得する。次に、ステップＳ２では、ＲＡＳ機能部２８が、新設フィールドネットワーク用通信カード７のレジスタに登録された情報に基づいて新設プログラマブルコントローラ１１の状態や新設フィールドネットワーク１０の回線状態の情報を取得する。
【００４３】
次いで、ステップＳ３では、ＲＡＳ機能部２８は、先のステップＳ１で取得した情報に基づいて、既設プログラマブルコントローラ９の異常や既設フィールドネットワーク８の回線異常などの既設側の通信システムにおける異常発生の有無を判断する。
【００４４】
ここで、ＲＡＳ機能部２８は、既設側の通信システムの異常を検出した場合には、ステップＳ４にて既設の通信システムが異常であることを示すフラグ（以下、既設システム異常フラグと呼ぶ）をＯＮ（異常）する。また、条件不成立の場合は、既設の通信システムは正常であるとみなし、ステップＳ５にて既設システム異常フラグをＯＦＦ（正常）にする。
【００４５】
次に、ステップＳ６では、ＲＡＳ機能部２８は、先のステップＳ２で取得した情報に基づいて、新設プログラマブルコントローラ１１の異常や新設フィールドネットワーク１０の回線異常などの新設側の通信システムにおける異常発生の有無を判断する。
【００４６】
ここで、ＲＡＳ機能部２８は、新設側の通信システムの異常を検出した場合には、ステップＳ７にて新設の通信システムが異常であることを示すフラグ（以下、新設システム異常フラグと呼ぶ）をＯＮ（異常）する。また、条件不成立の場合は、新設の通信システムは正常であるとみなし、ステップＳ８にて新設システム異常フラグをＯＦＦ（正常）にする。
【００４７】
次に、図６に示すように、制御出力処理部２２は、各々の負荷１ａ〜１ｎについて個別に制御権の強制切替が必要か否かをチェックするため以下の処理を行う。すなわち、まず、ステップＳ９で負荷１ａ〜１ｎを指定するカウント値ｉを最初に「１」に設定する。次に、ステップ１０で、パラメータ設定ファイル２１を参照して、カウント値ｉ＝１に該当する負荷（最初は負荷１ａ）に対する制御権選択パラメータが既設監視制御装置１３の制御信号の出力要求を採用するように設定されているか、あるいは新設監視制御装置１５の制御信号の出力要求を採用するように設定されているか、いずれであるかをチェックする。
【００４８】
ここで、既設監視制御装置１３の制御信号の出力要求を採用するように制御権選択パラメータが「０」に設定されている場合には、さらにステップＳ１１で既設システム異常フラグの内容をチェックする。このとき、既設システム異常フラグがＯＦＦ（正常）の場合は、該当負荷１ａの制御権の切り替えを実施せずに制御権選択パラメータを「０」のまま保持する。これにより、既設監視制御装置１３から出力された制御信号を該当負荷１ａに出力することができる。
【００４９】
これに対して、ステップ１１で既設システム異常フラグがＯＮ（異常）の場合は、さらにステップ１２で新設システム異常フラグの内容をチェックする。新設システム異常フラグがＯＦＦ（正常）の場合は、ステップＳ１３において、パラメータ設定ファイル２１の該当負荷１ａの設定を、新設監視制御装置１５の制御信号の出力要求を採用するように制御権選択パラメータを「１」に強制変更する。これにより、新設監視制御装置１５から出力された制御信号を該当負荷１ａに出力することができ、該当負荷１ａへの継続的な制御が可能となる。
【００５０】
一方、ステップ１０において、新設監視制御装置１５の制御信号の出力要求を採用するように制御権選択パラメータが「１」に設定されている場合には、さらにステップＳ１４で新設システム異常フラグの内容をチェックする。このとき、新設システム異常フラグがＯＦＦ（正常）の場合は、該当負荷１ａの制御権の切り替を実施せずに制御権選択パラメータを「１」のまま保持する。これにより、新設監視制御装置１５から出力された制御信号を該当負荷１ａに出力することができる。
【００５１】
これに対して、ステップＳ１４で新設システム異常フラグがＯＮ（異常）の場合は、さらにステップ１５で既設システム異常フラグの内容をチェックする。既設システム異常フラグがＯＦＦ（正常）の場合は、ステップＳ１６において、パラメータ設定ファイル２１の該当負荷１ａの設定を、既設監視制御装置１３の制御信号の出力要求を採用するように制御権選択パラメータを「０」に強制変更する。これにより、既設監視制御装置１３から出力された制御信号を該当負荷１ａに出力することができ、該当負荷１ａへの継続的な制御が可能となる。
【００５２】
上記の処理が終了すると、ステップＳ１７で負荷１ａ〜１ｎを指定するカウント値ｉを一つ繰り上げ、カウント値ｉ＝２に該当する負荷（ここでは負荷１ｂ）についてステップＳ１０〜ステップＳ１６までの処理を実行する。そして、ステップ１８で、全ての負荷１ａ〜１ｎについて制御権の強制切替処理が終了したか否かをチェックし、処理が終了しておれば、制御権切替処理を終了する。
【００５３】
なお、ステップＳ１１とステップＳ１２の判断で既設システム異常フラグと新設システム異常フラグが共にＯＮ（異常）となった場合や、ステップ１４とステップ１５の判断で既設システム異常フラグと新設システム異常フラグが共にＯＮ（異常）となった場合には、システム全体が故障していると見なし、制御権強制切替処理を実行せずに終了する。
【００５４】
以上のように、この実施の形態１では、プラントの監視制御システムを既設のものから新設のものに移行する切り替え工事中において、既設監視制御装置１３と新設監視制御装置１５の双方でプラントを構成する個々の負荷１ａ〜１ｎについて個別にその状態信号を監視できるとともに、既設監視制御装置１３と新設監視制御装置１５のいずれか一方から個々の負荷１ａ〜１ｎを間断なく継続して制御することができる。このため、既設の監視制御システムから新設の監視制御システムに移行する際のシステム全体の信頼性を高めることが可能となる。
【００５５】
なお、この発明は、上記の実施の形態１の構成のみに限定されるものではなく、この発明の趣旨を逸脱しない範囲において、実施の形態１の構成の一部に変形を加えたり、構成の一部を省略することが可能である。
【符号の説明】
【００５６】
１ａ〜１ｎ  負荷、４  ＩＯ装置、５  ＣＰＵ、
６  既設フィールドネットワーク用通信カード、
７  新設フィールドネットワーク用通信カード、８  既設フィールドネットワーク、
９  既設プログラマブルコントローラ、１０  新設フィールドネットワーク、
１１  新設プログラマブルコントローラ、１２  既設制御バス、
１３  既設監視制御装置、１４  新設制御バス、１５  新設監視制御装置、
１６  負荷データ受信処理部、１７，１８  入力データリフレッシュメモリ、
２１  パラメータ設定ファイル、２２  制御出力処理部、
２４，２６  出力データリフレッシュメモリ、２８  ＲＡＳ機能部。
【図１】
2017167709.tif 000003
【図２】
2017167709.tif 000004
【図３】
2017167709.tif 000005
【図４】
2017167709.tif 000006
【図５】
2017167709.tif 000007
【図６】
2017167709.tif 000008